(57)【要約】【課題】排水用のポンプを停止するタイミングを適正に制御して安全かつ確実に排水処理を行う。【解決手段】本発明の水処理装置は、雨水を貯留する雨水貯槽２と、この雨水貯槽２内に設けられ、溜まった雨水を排水処理場に排水する排水ポンプ１１と、この排水ポンプ１１の駆動を制御する制御ユニット２０とを備えている。制御ユニット２０は、上記排水ポンプ１１の駆動中にその駆動電流Ａを取得し（Ｓ１７）、あらかじめ設定された所定値（Ａ０×α）以下まで上記駆動電流Ａが低下した時点で上記排水ポンプ１１を停止する（Ｓ１８，Ｓ２２）。【選択図】図３
2010115571.tif 000002
【特許請求の範囲】
【請求項１】
雨水を貯留する雨水貯槽と、この雨水貯槽内に設けられ、溜まった雨水を廃水処理場に排水する排水ポンプと、この排水ポンプの駆動を制御する制御手段とを備えた水処理装置であって、
上記制御手段は、上記排水ポンプの駆動中にその駆動電流を取得し、あらかじめ設定された所定値以下まで上記駆動電流が低下した時点で上記排水ポンプを停止することを特徴とする水処理装置。
【請求項２】
請求項１記載の水処理装置において、
上記雨水貯槽内に溜まった雨水の水位を検出する水位検出手段と、
上記排水ポンプとは別に設けられた補助ポンプとを備え、
上記制御手段は、上記水位検出手段により検出された雨水の水位が所定の水位より高いことが確認されると、上記排水ポンプおよび補助ポンプの両方を駆動するとともに、これら両ポンプが駆動されている間は、上記排水ポンプをその駆動電流の大きさに基づき停止する制御を禁止することを特徴とする水処理装置。
【請求項３】
請求項２記載の水処理装置において、
上記制御手段は、上記水位検出手段により検出された雨水の水位が、上記所定の水位よりも低く設定された所定の低水位以下まで低下すると、上記排水ポンプおよび補助ポンプのうち排水ポンプのみを駆動するとともに、その駆動を所定時間継続しても上記排水ポンプの駆動電流が上記所定値以下に低下しなければ、上記排水ポンプを異常と判定することを特徴とする水処理装置。
【請求項４】
請求項１〜３のいずれか１項に記載の水処理装置において、
上記制御手段は、上記排水ポンプの駆動が開始されてから所定時間経過後の駆動電流を初期電流として取得し、この初期電流よりも所定量低い電流値を上記所定値として設定することを特徴とすることを特徴とする水処理装置。
【発明の詳細な説明】
【技術分野】
【０００１】
本発明は、雨水を貯留する雨水貯槽と、この雨水貯槽内に設けられ、溜まった雨水を廃水処理場に排水する排水ポンプと、この排水ポンプの駆動を制御する制御手段とを備えた水処理装置に関する。
【背景技術】
【０００２】
従来、例えば下記特許文献１に示されるように、水槽内に溜まった水を１台または複数台のポンプで排水する際に、上記水槽内の水位を水位センサにより検出し、この水位センサにより検出された水位があらかじめ設定されたポンプ停止水位を下回った時点で、上記ポンプの駆動を停止することが行われている。
【０００３】
特に、この特許文献１の構成では、例えば同文献の図１に示すように、上記ポンプ停止水位がゼロ付近に設定されており、水槽内に溜まった水を排水するために一旦ポンプが駆動されると、水槽内のほぼ全ての水が排水されるまで上記ポンプの駆動が継続されるようになっている。
【特許文献１】特開２００８−６３９５４号公報
【発明の開示】
【発明が解決しようとする課題】
【０００４】
しかしながら、上記特許文献１のように、水位センサにより検出された水槽の水位がほぼゼロになるまでポンプの駆動を継続するようにした場合には、水位がゼロ付近のときの水位センサの検出精度に起因して、ポンプを停止するタイミングがばらついてしまうおそれがある。
【０００５】
例えば、水位センサとして、水槽の底部付近の水圧を測定してその大小を基準に水槽内の水位を検出するセンサを用いることが考えられるが、このような水圧式の水位センサを用いた場合には、水槽内の水が空に近づいたときに、水面に存在する波等の影響により水圧がゼロ付近で変動することに起因して、ゼロ付近の水位を精度よく検出することができないという問題がある。このため、例えば水槽の底部に比較的多くの水が残っているにもかかわらずポンプが停止したり、空運転（水が溜まっていない状態でポンプが駆動されること）が継続されることでポンプが損傷したりする事態が発生するおそれがあり、安全性および信頼性の面で改善の余地が残されていた。
【０００６】
本発明は、上記のような事情に鑑みてなされたものであり、排水用のポンプを停止するタイミングを適正に制御して安全かつ確実に排水処理を行うことが可能な水処理装置を提供することを目的とする。
【課題を解決するための手段】
【０００７】
上記課題を解決するためのものとして、本発明は、雨水を貯留する雨水貯槽と、この雨水貯槽内に設けられ、溜まった雨水を廃水処理場に排水する排水ポンプと、この排水ポンプの駆動を制御する制御手段とを備えた水処理装置であって、上記制御手段は、上記排水ポンプの駆動中にその駆動電流を取得し、あらかじめ設定された所定値以下まで上記駆動電流が低下した時点で上記排水ポンプを停止することを特徴とするものである（請求項１）。
【０００８】
本発明によれば、雨水貯槽内の雨水を排水する排水ポンプの駆動電流が所定値以下に低下した時点で排水ポンプを停止するようにしたため、上記雨水の水位がゼロ付近に低下する適切なタイミングで排水ポンプを停止することができ、雨水がほぼ空になるまで排水ポンプにより確実に雨水を排水しつつ、この排水ポンプがむやみに空運転されるのを防止してその性能を適正に維持できるという利点がある。
【０００９】
本発明の水処理装置が、上記雨水貯槽内に溜まった雨水の水位を検出する水位検出手段と、上記排水ポンプとは別に設けられた補助ポンプとを備える場合、上記制御手段は、上記水位検出手段により検出された雨水の水位が所定の水位より高いことが確認されると、上記排水ポンプおよび補助ポンプの両方を駆動するとともに、これら両ポンプが駆動されている間は、上記排水ポンプをその駆動電流の大きさに基づき停止する制御を禁止することが好ましい（請求項２）。
【００１０】
この構成によれば、複数のポンプが駆動されることによる駆動電流の変動に起因して上記排水ポンプが誤って停止されるのを防止することができ、排水ポンプの停止タイミングをより適正に制御できるという利点がある。
【００１１】
この場合、より好ましい形態として、上記制御手段は、上記水位検出手段により検出された雨水の水位が、上記所定の水位よりも低く設定された所定の低水位以下まで低下すると、上記排水ポンプおよび補助ポンプのうち排水ポンプのみを駆動するとともに、その駆動を所定時間継続しても上記排水ポンプの駆動電流が上記所定値以下に低下しなければ、上記排水ポンプを異常と判定する（請求項３）。
【００１２】
この構成によれば、長時間かけても排水ポンプの駆動電流が所定値以下に低下せず、排水ポンプにより正常な排水が行われていないことが疑われるときに、これを排水ポンプの異常として処理することにより、排水ポンプの状態を適正に監視できるという利点がある。
【００１３】
また、本発明の好ましい形態として、上記制御手段は、上記排水ポンプの駆動が開始されてから所定時間経過後の駆動電流を初期電流として取得し、この初期電流よりも所定量低い電流値を上記所定値として設定する（請求項４）。
【００１４】
この構成によれば、排水ポンプの個体差や、運転状況による駆動電流のばらつき等にかかわらず、排水ポンプを停止する判断基準としての上記所定値を適正に設定することができ、この所定値に基づいて上記排水ポンプの停止を制御することにより、雨水貯槽の排水処理をより安全かつ確実に行えるという利点がある。
【発明の効果】
【００１５】
以上説明したように、本発明の水処理装置によれば、排水用のポンプを停止するタイミングを適正に制御して安全かつ確実に排水処理を行うことができる。
【発明を実施するための最良の形態】
【００１６】
図１は、本発明の一実施形態にかかる水処理装置１の構成を概略的に示す図である。本図に示される水処理装置１は、地表に降った雨水を集めるための雨水枡４と、この雨水枡４から所定の下り勾配をもって延びる導水路５と、これら雨水枡４および導水路５を通じて流れ込んできた雨水を貯留する雨水貯槽２と、この雨水貯槽２の底部に設けられた排水ポンプ１１および補助ポンプ１２とを備えている。
【００１７】
上記排水ポンプ１１および補助ポンプ１２からは排水管１４が上向きに延びており、上記各ポンプ１１，１２により汲み上げられた雨水が上記排水管１４を通じて雨水貯槽２の外部に導出され、最終的に図外の廃水処理場まで送られるようになっている。なお、上記廃水処理場には、上記雨水貯槽２からの雨水以外に、例えば生活排水や工場排水等が送り込まれ、これら雨水や生活排水等を含む廃水が上記廃水処理場で浄化された後に河川や海等に放流されるようになっている。
【００１８】
上記雨水貯槽２の底部には水位センサ２１（本発明にかかる水位検出手段に相当）が設けられている。この水位センサ２１は、雨水貯槽２の底部の水圧を測定してその大小を基準に槽内の雨水の水位を検出する水圧式のセンサであり、この水位センサ２１により検出された水位が後述する制御ユニット２０に電気信号として送信されるようになっている。
【００１９】
上記雨水貯槽２の上部側方にはサブ貯槽３が並設されており、このサブ貯槽３と上記雨水貯槽２が接続口６を介して連通している。また、上記サブ貯槽３からは通路７が延びており、この通路７の先端部が放流口８として開口している。上記接続口６および放流口８は可動扉９，１０により開閉可能に閉止されており、例えば降雨量が多く雨水貯槽２から雨水がオーバーフローしそうになると、上記可動扉９，１０が上記接続口６および放流口８を開放する方向に駆動されることにより、上記雨水貯槽２に溜まり切らない雨水が上記放流口８を通じて河川や海等に放流されるようになっている。一方、雨水貯槽２内の雨水の水位が低くオーバーフローのおそれがない状況では、図示のように接続口６および放流口８が上記可動扉９，１０により閉止されることにより、河川や海等の水が上記雨水貯槽２側に逆流することが防止されるようになっている。
【００２０】
図２は、当実施形態の水処理装置１の制御系を示すブロック図である。本図に示すように、水処理装置１は制御ユニット２０（本発明にかかる制御手段に相当）を有しており、同装置１の各部の動作が上記制御ユニット２０により統括的に制御されるようになっている。具体的には、上記排水ポンプ１１、補助ポンプ１２、および可動扉９，１０をそれぞれ駆動する駆動部としての電動モータや電源装置等（図示省略）が上記制御ユニット２０と電気的に接続されており、この制御ユニット２０の指令に基づき上記各電動モータの駆動が制御されることにより、上記排水ポンプ１１や補助ポンプ１２等の各部の動作が統括的に制御されるようになっている。
【００２１】
また、上記制御ユニット２０には、雨水貯槽２内の雨水の水位を検出する上記水位センサ２１に加えて、排水ポンプ１１の駆動電流（より具体的には排水ポンプ１１を駆動する電動モータの駆動電流）を検出する電流センサ２２が電気的に接続されており、これら各センサ２１，２２による検出値が上記制御ユニット２０に電気信号として入力されるようになっている。なお、以下では、上記水位センサ２１により検出される雨水の水位をＬ、上記電流センサ２２により検出される排水ポンプ１１の駆動電流をＡとして表す。
【００２２】
次に、図３のフローチャートを用いて、上記制御ユニット２０が排水ポンプ１１および補助ポンプ１２の駆動を制御する際の処理内容について具体的に説明する。このフローチャートがスタートすると、制御ユニット２０は、上記水位センサ２１により検出された雨水貯槽２内の雨水の水位Ｌを取得する制御を実行する（ステップＳ１）。そして、この取得された水位Ｌの値が、図４に示される第１水位Ｌ１（本発明にかかる所定の低水位に相当）よりも大きいか否かを判定する（ステップＳ２）。この第１水位Ｌ１は、上記排水ポンプ１１および補助ポンプ１２の各インペラが水上に露出し始める水位よりも幾分高い水位であり、例えば５０ｃｍに設定される。
【００２３】
上記ステップＳ２でＹＥＳと判定されて雨水の水位Ｌが第１水位Ｌ１以上である（Ｌ＞Ｌ１）であることが確認された場合、制御ユニット２０は、上記水位Ｌの値が図４に示される第２水位Ｌ２よりも大きいか否かを判定する制御を実行する（ステップＳ３）。この第２水位Ｌ２は、上記第１水位Ｌ１よりも高めに設定され、例えば７０ｃｍとされる。
【００２４】
上記ステップＳ３でＹＥＳ判定されて雨水の水位Ｌが第２水位Ｌ２以上であることが確認された場合、制御ユニット２０は、さらに、上記水位Ｌの値が図４に示される第３水位Ｌ３（本発明にかかる所定の水位に相当）よりも大きいか否かを判定する制御を実行する（ステップＳ４）。この第３水位Ｌ３は、上記２水位Ｌ２よりも高めに設定され、例えば１００ｃｍとされる。
【００２５】
上記ステップＳ４でＮＯと判定された場合、つまり、上記雨水の水位Ｌが第２水位Ｌ２より大きくかつ第３水位Ｌ３以下であること（Ｌ２＜Ｌ≦Ｌ３）が確認された場合、制御ユニット２０は、ポンプ駆動フラグＦが「０」であるか否かを判定する制御を実行する（ステップＳ５）。このポンプ駆動フラグＦは、排水ポンプ１１および補助ポンプ１２の駆動状態を特定するためのものであり、Ｆ＝０であれば上記両ポンプ１１，１２がともに停止中であり、Ｆ＝１であれば両ポンプ１１，１２のうち排水ポンプ１１のみが駆動中（補助ポンプ１２は停止中）であり、Ｆ＝２であれば両ポンプ１１，１２がともに駆動中であることを表す。
【００２６】
例えば、雨水貯槽２内にほとんど雨水が溜まっていない状態で図３のフローチャートが開始され、その状態から雨水の水位Ｌが徐々に上昇して第２水位Ｌ２を超えた場合、それまでの間は排水ポンプ１１および補助ポンプ１２がともに停止しているため、上記第２水位Ｌ２を超えた時点でのポンプ駆動フラグＦは「０」であり、上記ステップＳ５ではＹＥＳと判定される。
【００２７】
上記ステップＳ５でＹＥＳと判定されて排水ポンプ１１および補助ポンプ１２の両方が停止していることが確認された場合、制御ユニット２０は、上記ポンプ駆動フラグＦに「１」を入力するとともに（ステップＳ６）、上記排水ポンプ１１の駆動を開始する制御を実行する（ステップＳ７）。
【００２８】
このように排水ポンプ１１の駆動を開始した後、制御ユニット２０は、あらかじめ設定された所定時間Ｔ０（例えば５秒程度）が経過するのを待ってから（ステップＳ８）、その時点で上記電流センサ２２により検出された排水ポンプ１１の駆動電流を、同ポンプ１１の初期電流Ａ０として取得する制御を実行する（ステップＳ９）。
【００２９】
上記のように排水ポンプ１１を駆動して雨水貯槽２から雨水を排水している状態で、この排水ポンプ１１による雨水の排水量よりも、雨水貯槽２に流入する雨水の量が多いと、上記雨水貯槽２内の雨水の水位Ｌが徐々に増大することにより、この水位Ｌが上記第３水位Ｌ３を超え、上記ステップＳ４でＹＥＳと判定されることになる。すると、制御ユニット２０は、上記ポンプ駆動フラグＦに「２」を入力するとともに（ステップＳ１３）、上記排水ポンプ１１に加えて補助ポンプ１２を駆動することにより、これら排水ポンプ１１および補助ポンプ１２の両方を駆動して雨水の排水を行う（ステップＳ１４）。
【００３０】
上記のように排水ポンプ１１および補助ポンプ１２の両方が駆動されることにより、雨水貯槽２内の雨水が多量に排出されて水位Ｌが徐々に低下し、その値が再び上記第３水位Ｌ３以下になったとする。この場合は、上記ステップＳ４でＮＯと判定されるため、ステップＳ５に移行してＦ＝０か否かが判定されるが、このとき、排水ポンプ１１および補助ポンプ１２はともに駆動中である（つまりＦ＝２である）ため、上記ステップＳ５ではＮＯと判定される。すると、制御ユニット２０は、次のステップＳ１０〜Ｓ１２で、補助ポンプ１２を停止して排水ポンプ１１のみを駆動する制御を実行する。具体的には、まずポンプ駆動フラグＦが「２」であるか否かを判定し（ステップＳ１０）、ここでＹＥＳと判定されて排水ポンプ１１および補助ポンプ１２の両方が駆動中であることが確認された場合に、上記ポンプ駆動フラグＦに「１」を入力するとともに（ステップＳ１１）、補助ポンプ１２を停止する制御を実行する（ステップＳ１２）。これにより、雨水貯槽２からの雨水の排水は、排水ポンプ１１の駆動のみによって行われる。
【００３１】
その後、上記排水ポンプ１１による雨水の排水により水位Ｌが徐々に低下し、その値が第１水位Ｌ１以下まで低下することにより、上記ステップＳ２でＮＯと判定されるようになったとする。この場合、制御ユニット２０は、まずポンプ駆動フラグＦが「１」であるか否かを判定する（ステップＳ１５）。上記のように排水ポンプ１１による雨水の排水により水位Ｌが第１水位Ｌ１以下になった場合、その時点では当然排水ポンプ１１が駆動中である（つまりＦ＝１である）ため、上記ステップＳ１５ではＹＥＳと判定される。すると、制御ユニット２０は、内蔵されたタイマーのカウント値Ｃ１をリセットし、その時点からの経過時間を計測するカウント処理を開始する（ステップＳ１６）。
【００３２】
次いで、制御ユニット２０は、上記電流センサ２２から排水ポンプ１１の駆動電流Ａを取得するとともに（ステップＳ１７）、この駆動電流Ａが、上記ステップＳ９で取得された初期電流Ａ０に所定の比率αを掛けた値（Ａ０×α）以下であるか否かを判定する制御を実行する（ステップＳ１８）。なお、上記比率αは１より小さい所定値（例えば０．８）に設定される。
【００３３】
上記ステップＳ１８での判定は、雨水貯槽２内の雨水がほぼ空になったことを確認するために行われる。すなわち、雨水貯槽２内の雨水がほぼ空になって排水ポンプ１１のインペラが水上に露出し始めると、インペラの回転抵抗が低減されて排水ポンプ１１の駆動電流Ａが急激に低下するため、この駆動電流Ａの値が所定値（Ａ０×α）以下に低下したことをもって、雨水貯槽２内の雨水が空になったと判定する。なお、当実施形態では、一時的な電流変動により誤った判定が行われるのを防止するため、駆動電流ＡがＡ０×α以下である状態が所定時間（例えば１秒程度）継続した場合にのみ、上記ステップＳ１８でＹＥＳと判定する。
【００３４】
そして、上記ステップＳ１８でＹＥＳと判定されて雨水貯槽２がほぼ空になったことが確認されると、制御ユニット２０は、ポンプ駆動フラグＦに「０」を入力した上で（ステップＳ２１）、排水ポンプ１１を停止する制御を実行する（ステップＳ２２）。これにより、排水ポンプ１１および補助ポンプ１２の両方が停止され、雨水貯槽１からの雨水の排水が停止される。
【００３５】
ところで、上記ステップＳ２でＮＯと判定されて雨水の水位Ｌが上記第１水位Ｌ１以下になったことが確認されてから、上記ステップＳ１８でＹＥＳと判定されて雨水貯槽２がほぼ空になったことが確認されるまでの間には、ある程度の時間が必要である。しかしながら、かなり長い時間にわたって排水ポンプ１１の駆動を継続しても雨水貯槽２が空にならない（つまり駆動電流ＡがＡ０×α以下にならない）場合があり、このような場合は、上記排水ポンプ１１が正常に作動していないことが疑われる。そこで、当実施形態では、上記駆動電流ＡがＡ０×αよりも大きいことが確認される度に（つまりステップＳ１８でＮＯと判定される度に）、上記タイマーのカウント値Ｃ１を調べて上記第１水位Ｌ１以下になってからの経過時間を監視することにより、排水ポンプ１１が異常でないかを調べるようにしている。
【００３６】
すなわち、制御ユニット２０は、上記ステップＳ１８でＮＯと判定されると、上記タイマーのカウント値Ｃ１が所定時間Ｔ１（例えば８分程度）よりも小さいか否かを判定する（ステップＳ１９）。そして、ここでＮＯと判定されて所定時間Ｔ１が経過したことが確認された場合に、排水ポンプ１１が異常であると判定してその駆動を停止する制御を実行する（ステップＳ２０〜Ｓ２２）。このとき、排水ポンプ１１の異常をオペレータ等に報知すべく、所定の警報装置（例えば警告灯など）を作動させる制御が合わせて実行される。
【００３７】
一方、上記ステップＳ１９でＹＥＳと判定されて所定時間Ｔ１に達していないことが確認された場合には、再び上記ステップＳ１７に戻って排水ポンプ１１の駆動電流Ａを取得するとともに、この電流値に関する判定を次のステップＳ１８で行い、以下同様の処理を繰り返す。
【００３８】
以上説明したように、当実施形態の水処理装置は、雨水を貯留する雨水貯槽２と、この雨水貯槽２内に設けられ、溜まった雨水を排水処理場に排水する排水ポンプ１１と、この排水ポンプ１１の駆動を制御する制御ユニット２０とを備えている。そして、上記制御ユニット２０は、上記排水ポンプ１１の駆動中にその駆動電流Ａを取得し（図３のステップＳ１７）、あらかじめ設定された所定値（Ａ０×α）以下まで上記駆動電流Ａが低下した時点で上記排水ポンプ１１を停止する（ステップＳ１８，Ｓ２２）。このような構成によれば、排水ポンプ１１を停止するタイミングを適正に制御して安全かつ確実に排水処理を行えるという利点がある。
【００３９】
すなわち、上記実施形態では、雨水貯槽２内の雨水を排水する排水ポンプ１１の駆動電流Ａが所定値以下に低下した時点で排水ポンプ１１を停止するようにしたため、上記雨水の水位Ｌがゼロ付近に低下する適切なタイミングで排水ポンプ１１を停止することができ、雨水がほぼ空になるまで排水ポンプ１１により確実に雨水を排水しつつ、この排水ポンプ１１がむやみに空運転されるのを防止してその性能を適正に維持できるという利点がある。
【００４０】
例えば、上記実施形態において、雨水貯槽２内に設けられた水圧式の水位センサ２１によって雨水の水位Ｌを検出し、その検出値がゼロに近づいたときに上記排水ポンプ１１を停止することも考えられるが、上記のような水位センサ２１では、水位Ｌがゼロ付近に近づいたときに、水面に存在する波等により水圧が安定しないこと等に起因して、水位Ｌがゼロ付近になったことを精度よく検出できないという問題がある。このため、比較的多くの雨水が雨水貯槽２内に残ったまま排水ポンプ１１が停止されたり、排水ポンプ１１が長時間にわたり空運転されることで排水ポンプ１１が損傷したりすることが懸念される。
【００４１】
なお、このような問題は、水位センサ２１として他の形式のセンサを用いた場合にも同様に生じ得る。例えば、雨水貯槽２の上方から超音波を発信して水面との距離を測定する超音波式の水位センサを用いることも考えられるが、このようなセンサを用いた場合でも、水面に浮かぶゴミ等の異物や波の存在に起因して、やはりゼロ付近の水位Ｌを精度よく検出することは困難である。また、水面に浮かべたフロートの高さにより水位Ｌを検出するフロート式の水位センサも存在するが、このようなフロート式の水位センサでは、フロートがゴミなどにひっかかる等により、水位Ｌを正確に測定できないことがある。したがって、このような水位センサの検出値に基づいて上記排水ポンプ１１の駆動を制御すると、水位Ｌがゼロに近づいたときに排水ポンプ１１を適正に停止できず、多くの雨水が雨水貯槽２内に残されたり排水ポンプ１１が損傷したりするおそれがある。
【００４２】
このような問題に対し、上記実施形態では、排水ポンプ１１の駆動電流Ａの低下に基づいて排水ポンプ１１を停止するようにしたため、排水ポンプ１１の停止制御のために水位センサ２１を用いた場合と異なり、上述したような問題を生じることなく、安全かつ確実に雨水の排水処理を行えるという利点がある。
【００４３】
また、上記実施形態では、排水ポンプ１１とは別に補助ポンプ１２を雨水貯槽２内に設け、上記水位センサ２１により検出された雨水の水位Ｌが第３水位Ｌ３より高いことが確認されると（つまりステップＳ４でＹＥＳの場合）、上記排水ポンプ１１および補助ポンプ１２の両方を駆動するとともに（ステップＳ１４）、これら両ポンプ１１，１２が駆動されている間は、上記排水ポンプ１１をその駆動電流Ａの大きさに基づき停止する制御（ステップＳ１７〜Ｓ２２）を行わないようにした。このような構成によれば、複数のポンプが駆動されることによる駆動電流Ａの変動に起因して上記排水ポンプ１１が誤って停止されるのを防止することができ、排水ポンプ１１の停止タイミングをより適正に制御できるという利点がある。
【００４４】
また、上記実施形態では、水位センサ２１により検出された雨水の水位Ｌが、上記第３水位Ｌ３よりも低く設定された第１水位Ｌ１以下まで低下すると（つまりステップＳ２でＮＯの場合）、上記排水ポンプ１１および補助ポンプ１２のうち排水ポンプ１１のみを駆動するとともに、その駆動を所定時間（Ｔ１）継続しても上記排水ポンプ１１の駆動電流Ａが所定値（Ａ０×α）以下に低下しなければ、上記排水ポンプ１１を異常と判定するようにした（ステップＳ１６〜Ｓ２０）。このような構成によれば、長時間かけても排水ポンプ１１の駆動電流Ａが所定値以下に低下せず、排水ポンプ１１により正常な排水が行われていないことが疑われるときに、これを排水ポンプ１１の異常として処理することにより、排水ポンプ１１の状態を適正に監視できるという利点がある。
【００４５】
また、上記実施形態では、排水ポンプ１１の駆動が開始されてから所定時間（Ｔ０）経過後の駆動電流を初期電流Ａ０として取得し（ステップＳ９）、この初期電流Ａ０よりも所定量低い電流値（当実施形態ではＡ０に比率α（＜１）を掛けた値）を上記所定値として設定するようにした。このような構成によれば、排水ポンプ１１の個体差や、運転状況による駆動電流Ａのばらつき等にかかわらず、排水ポンプ１１を停止する判断基準としての上記所定値を適正に設定することができ、この所定値に基づいて上記排水ポンプ１１の停止を制御することにより、雨水貯槽２の排水処理をより安全かつ確実に行えるという利点がある。
【００４６】
以上、本発明の好ましい実施の形態について説明したが、本発明の水処理装置はこのような例に限らず、その趣旨を逸脱しない範囲で種々変更可能である。
【００４７】
例えば、上記実施形態では、雨水貯槽２の内部に、雨水の水位Ｌがほぼゼロになるまで駆動が継続される排水ポンプ１１と、水位Ｌがある程度高まった時点で駆動される補助ポンプ１２とを、それぞれ１台ずつ設けたが、雨水貯槽２の容量等に応じて、上記排水ポンプ１１および補助ポンプ１２のいずれかもしくは両方を複数台に増設することも当然に可能である。
【図面の簡単な説明】
【００４８】
【図１】本発明の一実施形態にかかる水処理装置の構成を概略的に示す図である。
【図２】上記水処理装置の制御系を示すブロック図である。
【図３】上記水処理装置において行われる制御動作の内容を示すフローチャートである。
【図４】雨水貯槽を拡大して示す図である。
【符号の説明】
【００４９】
１  水処理装置
２  雨水貯槽
１１  排水ポンプ
１２  補助ポンプ
２０  制御ユニット（制御手段）
２１  水位センサ（水位検出手段）
Ａ  駆動電流
Ａ０  初期電流
Ｌ  （雨水の）水位
Ｌ１  第１水位（所定の低水位）
Ｌ３  第３水位（所定の水位）
Ｔ０，Ｔ１  所定時間
【図１】
2010115571.tif 000003
【図２】
2010115571.tif 000004
【図３】
2010115571.tif 000005
【図４】
2010115571.tif 000006